(57)【特許請求の範囲】
【請求項１】
歩道の通行方向側部に配置されて通行面を照明するために、
前記歩道を通行する通行人の目線高さよりも下方に配置された光源と、
前記光源からの光を反射して前記通行面に照射する一対の反射部材と、
前記光源および前記各反射部材における下方以外を覆う非透視性部材とを有し、
前記各反射部材が前記光源からの光を前記通行方向に沿って、互いに交差するように異なる方向に反射して前記通行面を照明可能であるとともに、前記各反射部材に対する前記光源の位置を前後および上下に調整可能である歩行用照明装置。
【請求項２】
前記光源および前記各反射部材の下方を覆うカバー部材を備え、
前記カバー部材が透視性を有するとともに下方に向かって突出する湾曲形状である請求項１の歩行用照明装置。
【請求項３】
前記光源および前記各反射部材を収容する灯体と、
前記歩道に立設されて前記灯体を支持する脚部とを有する請求項１または２の歩行用照明装置。
【請求項４】
前記光源および前記各反射部材を収容する灯体の上方が透光性を有する請求項１から３のいずれか１項の歩行用照明装置。
【請求項５】
前記光源および前記各反射部材を収容する灯体の上方に略平坦な載置面が設けられている請求項１から４のいずれか１項の歩行用照明装置。
【発明の詳細な説明】
【技術分野】
【０００１】
本発明は歩行用照明装置に係り、例えば歩道の通行方向側部に配置されて通行面を照明することができる歩行用照明装置に関するものである。
【背景技術】
【０００２】
図１０に示すように、従来よりモールライト１００では、通行人Ｍの目線の高さよりかなり高い柱１０２の上部に１００Ｗの水銀灯を光源として備えた灯体部１０１を配置し、上方から歩道１０３を広く照明することにより、歩道１０３の動線方向に沿って設置間隔をあけている。このため、光源が直接目に入り、歩行者Ｍには灯体部１０１が眩しく感じることがある。
また、図１１に示すように、中ポール灯の照明装置１１０においては、低い柱１１２の上部に灯体部１１１を設けても、設置間隔をあまり密にすることは不経済であるため、柱１１２の高さには下限がある。このため、例えばベンチ１１３に座っている人Ｍの目線よりも高くなり、灯体部１１１が眩しく感じることがある。
このような歩行者への眩しさの問題を解決するため、従来より、種々の配慮がなされている（例えば特許文献１参照）。
また、「高欄照明」のような目線位置より低い位置に光源を備えた照明装置では、光源の周側面を覆って下方を照射するようにして歩行者の眩しさを防止している（例えば特許文献２参照）。
【特許文献１】特開平３−６２４０１号公報
【特許文献２】特開平９−１７７０２８号公報
【発明の開示】
【発明が解決しようとする課題】
【０００３】
しかしながら、前述した特許文献１、２に記載したような照明装置では、直管蛍光灯の管軸を歩道の動線方向に沿うように配置しているため、歩道の動線方向への配光の広がりがあまりなく、多数の照明装置を設けることが必要になり、コスト高を招くという問題がある。また、欄干等が設けられている歩道には設置可能であるが、一般の歩道に設けるのは困難であるという不都合があった。
【０００４】
本発明は、前述した問題点に鑑みてなされたものであり、その目的は、周囲への光漏れを防止することができ、広い配光で設置数を減少させるとともに、眩しさ（グレア）を防止することができる歩行用照明装置を提供することにある。
【課題を解決するための手段】
【０００５】
前述した目的を達成するために、本発明の歩行用照明装置は、歩道の通行方向側部に配置されて通行面を照明するために、前記歩道を通行する通行人の目線高さよりも下方に配置された光源と、前記光源からの光を反射して前記通行面に照射する反射部材と、前記光源および前記反射部材における下方以外を覆う非透視性部材とを有し、前記反射部材が前記光源からの光を前記通行方向に沿って互いに交差するように反射可能である。
【０００６】
このように構成された歩行用照明装置においては、歩道を通行する通行人の目線の高さよりも下方に光源を配置し、非透視性部材によって主に上部を覆うので、周囲への光漏れを防止するとともに、通行人が眩しく感じるのを防止することができる。ここで、非透視性部材とは、完全に光を透過しない部材のみならず、光源を視認できる程度にまで透明ではないがうっすらと光を通すことは可能な部材をいう。また、反射部材によって光源からの光を通行面に照射する際に、通行方向に沿って互いに交差するように反射することにより、通行方向に沿って長い距離照らすことができるので、設置数を減少してコストダウンを図ることができる。
【０００７】
また、本発明の歩行用照明装置は、前記光源および前記反射部材の下方を覆うカバー部材を備え、前記カバー部材が透視性を有するとともに下方に向かって突出する湾曲形状である。
【０００８】
このように構成された歩行用照明装置においては、光源および反射部材の下方を覆うカバー部材を、透視性を有する材料によって下方に突出する湾曲形状としたので、光源からの光を内面反射することなくスムーズに放出するとともに、グレアが生じるのを防止することができる。湾曲形状としては、球状や円筒形状等を例示することができる。
【０００９】
また、本発明の歩行用照明装置は、前記光源および前記反射部材を収容する灯体と、前記歩道に立設されて前記灯体を支持する脚部とを有する。
【００１０】
このように構成された歩行用照明装置においては、光源や反射部材を収容する灯体を、脚部によって持ち上げて支持する構造となる。
【００１１】
また、本発明の歩行用照明装置は、前記反射部材に対する前記光源の位置を調整可能である。
【００１２】
このように構成された歩行用照明装置においては、光源と反射部材との位置関係を調整することにより、照射方向や広がり等を調整することができる。
【００１３】
また、本発明の歩行用照明装置は、前記光源および前記反射部材を収容する灯体の上方が透光性を有する。
【００１４】
このように構成された歩行用照明装置においては、灯体の上方を透光性を有するようにしたので、灯体の上部を明るくして、外観を良くすることができる。
【００１５】
また、本発明の歩行用照明装置は、前記光源および前記反射部材を収容する灯体の上方に略平坦な載置面が設けられている。
【００１６】
このように構成された歩行用照明装置においては、灯体の上方に略平坦な載置面を設けたので、歩行者が座ったり、プランターを載置して飾ったりすることができる。
【発明の効果】
【００１７】
本発明によれば、歩道を通行する通行人の目線の高さよりも下方に光源を配置し、非透視性部材によって主に上部を覆ったので、周囲への光漏れを防止するとともに、通行人が眩しく感じるのを防止することができる。また、反射部材によって光源からの光を通行面に照射する際に、通行方向に沿って互いに交差する方向へ反射することにより、通行方向に沿って長い距離照らすことができるので、設置数を減少してコストダウンを図ることができるという効果が得られる。
【発明を実施するための最良の形態】
【００１８】
以下、本発明に係る実施形態を図面に基づいて詳細に説明する。
図１は本発明の歩行用照明装置に係る第１実施形態を示す斜視図、図２（Ａ）歩行用照明装置の投光状態を示す平面図、図２（Ｂ）は歩行用照明装置の投光状態を示す正面図、図３は光源と反射部材との位置関係を示す斜視図、図４（Ａ）および（Ｂ）は光源を反射部材に対して上下に移動させた際の光の向きを示す説明図、図５（Ａ）および（Ｂ）は光源を反射部材に対して上下に移動させた際の光の向きを示す説明図である。
【００１９】
図１および図２に示すように、本発明の第１実施形態である歩行用照明装置１０Ａは、歩道１４の通行方向（図１において左右方向）側部に配置されて通行面１４ａを照明するものである。この歩行用照明装置１０Ａは、歩道１４を通行する通行人の目線高さよりも下方に配置された光源１５と、光源１５からの光ＢＭを反射して通行面１４ａに照射する反射部材１６と、光源１５および反射部材１６における下方以外を覆う非透視性部材１７とを有している。そして、反射部材１６は、光源１５からの光ＢＭを通行方向に沿って互いに交差するように反射可能となっている。
【００２０】
光源１５および反射部材１６は灯体１１と、歩道１４に立設されて灯体１１を支持する脚部１２とを有しており、全体逆Ｌ字状に形成して灯体１１を歩道側へ突出させることにより、支柱による光の遮断部をなくした。そして、脚部１２は、歩道１４に設けられているベース１３に支持されている。灯体１１には光源１５および反射部材１６が収容されており、光源１５の高さが車椅子使用者や子供等目の高さが低い人の目線より低い位置（例えば１ｍ程度）となるように脚部１２を設けるようにする。ここで、光源１５および反射部材１６における下方以外を覆う非透視性部材１７とは、完全に光を遮断する部材のみならず、光源１５を視認できる程度にまで透明ではないがうっすらと光を通すことは可能な部材をいう。この非透視性部材１７は、照らす方向以外に設けられている。例えば、灯体１１の側面や、脚部１２等が該当する。
【００２１】
図２に示すように、光源１５としては、例えば円柱状に細長いバルブ等であり、歩道１４の幅方向に突出する方向に取り付けられている。反射部材１６は、光源１５を中心として水平面上で囲うように設けられている。従って、図２（Ｂ）において、光源１５の左側に対向する反射部分１６ａは、光源１５からの光ＢＭを右下方向へ反射し、光源１５の右側に対向する反射部分１６ｂは、光源１５からの光ＢＭを左下方向へ反射するようになっている。さらに、反射部材１６の前部分１６ｃによって、光が歩道１４の幅方向へは一定幅以上光が届かないように反射されている。なお、反射部材１６は一定幅の略円弧状をしているので、光源１５の下方においては、直接歩道１４の通行面１４ａを照明している。
【００２２】
図３に示すように、光源１５は、反射部材１６に対する相対的位置が調整可能となるように取り付けられている。例えば、光源１５が取り付けられている取付台１９に前後方向の長孔１９ａを設け、光源１５を取り付けたソケット１５ａを取付台１９に移動自在に設けて、ねじ１５ｂによりソケット１５ａを前後位置調整可能に取り付ける。さらに、取付台１９のベース２１に上下方向に長孔２１ａを設け、反射部材１６と一体的な取付部１６ａにねじ２１ｂにより上下方向位置調整可能に取り付ける。このように、光源１５と反射部材１６との前後方向および上下方向の位置関係を調整することにより、照射方向や広がり等を調整することができる。
【００２３】
すなわち、図４（Ａ）および（Ｂ）に示すように、光源１５を反射部材１６に対して相対的に後方へ移動させると、光源１５からの光は湾曲した反射部材１６の後方（図４において上方）部分で反射するので、反射光ＢＭは前方へ反射されることになる。
また、図５（Ａ）および（Ｂ）に示すように、光源１５を反射部材１６に対して相対的に上方へ移動させると、光源１５からの光は湾曲した反射部材１６の上方（図５において上方）部分で反射するので、反射光ＢＭは下方へ反射されることになる。
【００２４】
また、光源１５および反射部材１６の下方は、カバー部材１８によって覆われており、カバー部材１８は透視性を有するとともに下方に向かって突出する球状や円筒形状等の湾曲形状をしている。なお、湾曲形状の曲率半径は、カバー部材１８の内面反射による効率ロスをなくすため、できるだけ反射率が少ない角度を考慮して決定するようにする。これにより、従来カバー部材を平坦にすることにより内面反射して光が出にくかった問題や、湾曲したカバー部材の先端部にプリズム等の凹凸を設けた場合にグレアが生じたという問題を回避した。
【００２５】
さらに具体的に説明すると、この歩行用照明装置１０Ａは、歩道と車道との境界近傍に設置されていて、外形寸法が幅、奥行きとも約３００ｍｍ、高さ約４３０ｍｍであり、灯体１１を歩道側へ突出させた逆Ｌ字状に形成されている。灯体１１の脚部１２からの突出量は約１５０ｍｍである。灯体１１は、光源１５として３５ＷのコンパクトＨＩＤを横向きに寝かせて備えている。光源１５の高さは通行面１４ａから約３５０ｍｍである。
光源１５は、非透視性部材１７により下方以外が覆われていて、上方へ向かう配光を備えていない。
カバー部材１８は、ポリカーボネート樹脂等により透明で平滑な湾曲形状に形成されている。
【００２６】
この歩行用照明装置１０Ａでは、１０ｍ離れた位置で、従来のモールライト同様に、１ｌｘの水平面照度が確保でき、車椅子に座った人や幼児にも眩しさを感じさせない。
低い位置からの光により路面が照明されるので、路面の凹凸や障害物などが認識されやすい。車道側へ光を漏らすことがなく車両への障害光が発生せず、上方へ向かう配光がないので周辺の住宅などへの障害光も発生しない。
逆Ｌ字状に形成されて灯体１１を歩道側へ突出させていて、路面の足元に暗がりを作らない。
設置位置が低いので、施工やランプ交換等のメンテナンスが容易である。
通常の椅子の座面程度の高さで逆Ｌ字状に形成されているので、座りやすく立ち上がりやすい。カバー部材１８は低位置に下向きに設けられていて壊されにくくなっている。
【００２７】
以上、説明した歩行用照明装置１０Ａによれば、歩道１４を通行する通行人の目線の高さよりも下方に光源１５を配置し、非透視性部材１７によって主に上部を覆うので、周囲への光漏れを防止するとともに、通行人が眩しく感じるのを防止することができる。また、反射部材１６によって光源１５からの光ＢＭを歩道１４の通行面１４ａに照射する際に、通行方向に沿って互いに交差するように反射することにより、通行方向に沿って長い距離照らすことができるので、設置数を減少してコストダウンを図ることができる。
また、灯体１１の上面を略平坦な載置面とすることにより、歩行者は、灯体１１の上面に座って休憩したり、種々のものを載せることができる。
【００２８】
次に、本発明の歩行用照明装置の第２実施形態について説明する。
図６は第２実施形態にかかる歩行用照明装置を示す斜視図である。なお、前述した第１実施形態に係る歩行用照明装置１０Ａと共通する部位には同じ符合を付して、重複する説明を省略することとする。
【００２９】
図６に示すように、この歩行用照明装置１０Ｂでは、灯体１１の上面に木製の天板２２を載せている。また、灯体１１の上端部は透光性部材１１ａにより構成されている。
このように構成することにより、前述した第１実施形態にかかる歩行用照明装置１０Ａに加えて、樹木に溶け込んで自然味を増すので、並木道等の照明に好適である。また、木製の天板２２の上に腰掛けたり、物を載せたりすることができる。
【００３０】
次に、本発明の歩行用照明装置の第３実施形態について説明する。
図７は第３実施形態にかかる歩行用照明装置を示す斜視図である。なお、前述した第１実施形態に係る歩行用照明装置１０Ａと共通する部位には同じ符合を付して、重複する説明を省略することとする。
【００３１】
図７に示すように、この歩行用照明装置１０Ｃでは、灯体１１の上に透光性を有する天板２３を取り付けてある。この天板２３は、上面のみならず周面にも光を発するものである。
このように構成することにより、前述した第１実施形態にかかる歩行用照明装置１０Ａに加えて、灯体１１の上方を透光性を有するようにしたので、灯体１１の上部を明るくして、外観を良くすることができる。また、上方への光により、座っている人の顔を優しく照らして、空間に明るさ感と安心感を与える。
【００３２】
次に、本発明の歩行用照明装置の第４実施形態について説明する。
図８は第４実施形態にかかる歩行用照明装置を示す斜視図である。なお、前述した第１実施形態に係る歩行用照明装置１０Ａと共通する部位には同じ符合を付して、重複する説明を省略することとする。
【００３３】
図８に示すように、この歩行用照明装置１０Ｄでは、灯体１１の上に花を植えたプランター２４を載せてある。なお、プランター２４の内部にも照明装置２５を設けるようにすることもできる。
このように構成することにより、前述した第１実施形態にかかる歩行用照明装置１０Ａに加えて、日中は花壇のように歩道１４を飾ることができる。
【００３４】
なお、本発明の歩行用照明装置は、前述した各実施形態に限定されるものでなく、適宜な変形，改良等が可能である。
例えば、前述した各実施形態においては、灯体１１と脚部１２とを同じ幅として、逆Ｌ字状に形成した場合を例示したが、例えば図９に示す歩行用照明装置１０Ｅのように、灯体１１を横に長くして、逆Ｌ字状や、Ｔ字状に設けることもできる。このようにすることにより、２人で腰掛けたり、物を載せたりすることができる。
【産業上の利用可能性】
【００３５】
以上のように、本発明に係る歩行用照明装置は、歩道を通行する通行人の目線の高さよりも下方に光源を配置し、非透視性部材によって主に上部を覆ったので、周囲への光漏れを防止するとともに、通行人が眩しく感じるのを防止することができる。また、反射部材によって光源からの光を通行面に照射する際に、通行方向に沿って互いに交差する方向へ反射することにより、通行方向に沿って長い距離照らすことができるので、設置数を減少してコストダウンを図ることができるという効果を有し、歩道の通行方向側部に配置されて通行面を照明することができる歩行用照明装置等として有用である。
【図面の簡単な説明】
【００３６】
【図１】本発明の歩行用照明装置に係る第１実施形態を示す斜視図
【図２】（Ａ）歩行用照明装置の投光状態を示す平面図、（Ｂ）は歩行用照明装置の投光状態を示す正面図
【図３】光源と反射部材との位置関係を示す斜視図
【図４】（Ａ）および（Ｂ）は光源を反射部材に対して前後に移動させた際の光の向きを示す説明図
【図５】（Ａ）および（Ｂ）は光源を反射部材に対して上下に移動させた際の光の向きを示す説明図
【図６】本発明の歩行用照明装置に係る第２実施形態を示す斜視図
【図７】本発明の歩行用照明装置に係る第３実施形態を示す斜視図
【図８】本発明の歩行用照明装置に係る第４実施形態を示す斜視図
【図９】本発明の歩行用照明装置に係る別の実施形態を示す斜視図
【図１０】従来のモールライトを用いた照明装置を示す説明図
【図１１】従来の中ポール灯を用いた照明装置を示す説明図
【符号の説明】
【００３７】
１０  歩行用照明装置
１１  灯体
１２  脚部
１４  歩道
１４ａ  通行面
１５  光源
１６  反射部材
１７  非透視性部材
１８  カバー部材
【図１】
0004797806.tif 000002
【図２】
0004797806.tif 000003
【図３】
0004797806.tif 000004
【図４】
0004797806.tif 000005
【図５】
0004797806.tif 000006
【図６】
0004797806.tif 000007
【図７】
0004797806.tif 000008
【図８】
0004797806.tif 000009
【図９】
0004797806.tif 000010
【図１０】
0004797806.tif 000011
【図１１】
0004797806.tif 000012